(57)【要約】      （修正有）【課題】電気コネクタの小型化に有利になる電気コネクタを提供する。【解決手段】電気コネクタは、基部２１並びに基部から前向きに延出するように形成される端子台２２を含む絶縁本体２０と、絶縁本体を掩覆し、且つ挿入口が形成された金属板からなるシェル３０と、絶縁本体上に整列して配置される第１端子４１並びに第２端子４２により構成する。前記第１端子には端子台の一面に配置される第１接触部並びに回路基板に接続するための第１半田部が設けられ、前記第２端子には前記端子台の他面に配置される第２接触部並びに回路基板に接続するための第２半田部を設けた複数の導電端子と、を含む。シェルには、導電端子に対向する複数の突起５１１が設けられる上部ベース５１が取り付けられ、この突起同士の間に第１端子が狭入され、第２端子の少なくとも一部は突起に当接するように対応され、絶縁本体には第２端子の第２半田部が貫通する下部ベース５２を取り付ける。【選択図】図３
0003169366.tif 000002
【実用新案登録請求の範囲】
【請求項１】
基部と、基部から前向きに延出するように形成される端子台と、を含む絶縁本体と、
前記絶縁本体を掩覆し、挿入口が形成された金属板からなるシェルと、
前記絶縁本体上に整列して配置される第１端子と第２端子とを含み、前記第１端子には、前記端子台の一面に配置される第１接触部と、回路基板に接続するための第１半田部とが設けられ、前記第２端子には、前記端子台の他面に配置される第２接触部と、前記回路基板に接続するための第２半田部とが設けられる複数の導電端子と、
を含む電気コネクタにおいて、
前記シェルには、前記導電端子に対向する複数の突起が設けられる上部ベースが取り付けられ、前記突起同士の間に前記第１端子が狭入され、前記第２端子の少なくとも一部は前記突起に当接するように対応され、
前記絶縁本体に、前記第２端子の第２半田部が貫通する下部ベースが取り付けられることを特徴とする電気コネクタ。
【請求項２】
前記シェルに、前記上部ベースを収容する開放溝が形成され、前記開放溝の上部に、前記上部ベースの上向きの移動を制限する支持部が設けられることを特徴とする請求項１に記載の電気コネクタ。
【請求項３】
前記支持部は、前記開放溝の両側縁に横たわって突設されることを特徴とする請求項２に記載の電気コネクタ。
【請求項４】
前記上部ベースの両端には、前記シェルに係合する係合部がそれぞれ形成され、一方の前記係合部が平板状を呈し、他方の前記係合部が弧状のガイド部を有することを特徴とする請求項２に記載の電気コネクタ。
【請求項５】
前記絶縁本体に、前記基部の長手方向の両側から、前記端子台の延出方向と反する後方に延出する一対のアーム部が形成され、前記下部ベースが前記一対のアーム部の間に配置されることを特徴とする請求項１に記載の電気コネクタ。
【請求項６】
前記下部ベースには、前記第２端子の第２半田部が貫通する収容孔と、前記第１端子の第１半田部を位置決めする隔離溝とが形成されることを特徴とする請求項１又は５に記載の電気コネクタ。
【請求項７】
前記第２端子は、前記第２接触部と第２半田部とを連接する前記第２延出部を有し、前記第２延出部が前記上部ベースの突起に当接するよう配置されることを特徴とする請求項１に記載の電気コネクタ。
【考案の詳細な説明】
【技術分野】
【０００１】
本考案は、電気コネクタに関し、特に小型化された電気コネクタに関する。
【背景技術】
【０００２】
従来技術の電気コネクタにおいて、特許文献１に示されるように、レセプタクルとしての電気コネクタは、プラグが挿入される挿入口が形成された金属製のシェルと、シェルの内部に設けられた絶縁本体と、絶縁本体装着される導電端子と、から主に構成される。絶縁本体は、シェルの内部に装着される基部、並びに基部から挿入口の方向に延出された平板状の端子台からなり、絶縁本体の端子台の上下両面には複数の導電端子が整列配置される。また絶縁本体には、各導電端子を支持するために、樹脂製の上部ブロックと下部ブロックとが取り付けられる。
【先行技術文献】
【特許文献】
【０００３】
【特許文献１】日本特許公開第２００８-１４６８６５号明細書
【考案の概要】
【考案が解決しようとする課題】
【０００４】
しかしながら、前記上部ブロック並びに下部ブロックは、絶縁本体に積重して配置されるため、電気コネクタの小型化に不利になる恐れがあった。
【０００５】
本考案は、電気コネクタの小型化に有利になる電気コネクタを提供することを目的とする。
【課題を解決するための手段】
【０００６】
本考案の電気コネクタは、基部並びに基部から前向きに延出するように形成される端子台を含む絶縁本体と、前記絶縁本体を掩覆し、挿入口が形成された金属板からなるシェルと、前記絶縁本体上に整列して配置される第１端子並びに第２端子を含み、前記第１端子には前記端子台の一面に配置される第１接触部並びに回路基板に接続するための第１半田部が設けられ、前記第２端子には前記端子台の他面に配置される第２接触部並びに回路基板に接続するための第２半田部が設けられることを特徴とする複数の導電端子と、を含む。この電気コネクタにおいて、前記シェルには、前記導電端子に対向する複数の突起を設ける上部ベースが取り付けられ、前記突起同士の間には、前記第１端子が狭入され、前記第２端子の少なくとも一部は前記突起に当接するように対応され、前記絶縁本体には、前記第２端子の第２半田部が貫通する下部ベースが取り付けられることを特徴とする。
【考案の効果】
【０００７】
従来技術に比べ、本考案の電気コネクタは以下の利点を有し、前記上部ベースがシェルに取り付けられるため、電気コネクタの小型化に有利である。
【図面の簡単な説明】
【０００８】
【図１】本考案に係る電気コネクタの組立斜視図である。
【図２】本考案に係る電気コネクタの分解斜視図である。
【図３】図２に示す電気コネクタのほかの角度から見た分解斜視図である。
【図４】本考案に係る電気コネクタのシェルと上部ベースとの斜視図である。
【図５】図１に示すА‐А線に沿った断面図である。
【図６】図１に示す電気コネクタのほかの角度から見た組立斜視図である。
【考案を実施するための形態】
【０００９】
以下、本考案の電気コネクタ１００の実施形態について、添付図面である図１〜図６を参照して説明する。電気コネクタ１００は、絶縁本体２０と、絶縁本体２０を掩覆し、相手コネクタを挿入する挿入口３４が形成された金属板からなるシェル３０と、絶縁本体２０に装着された複数の導電端子４０と、導電端子４０を保持するための上部ベース５１及び下部ベース５２と、を含む。
【００１０】
図２並びに図３を参照すると、前記絶縁本体２０は、基部２１と、基部２１から挿入口３４の方向へ延出する端子台２２と、基部２１の長手方向の両側から端子台２２の延出方向と反する後方に延出する一対のアーム部２３と、を含み、前記一対のアーム２３の間に上下方向へ開放された収容空間が形成される。また、前記基部２１並びに端子台２２に導電端子４０を収容するための端子溝２４が形成される。
【００１１】
図２並びに図３を参照すると、シェル３０は、天板３１と、底板３２と、天板３１と底板３２とが連接される両側板３３と、を含み、前記天板３１と底板３２と一対の側板３３とによって、挿入口３４が形成される。天板３１には前記挿入口３４に延出する一対の弾性片３１１と、一対の弾性片３１１の間に配置される凸部３１２とが設けられ、前記弾性片３１１と凸部３１２とによって、相手コネクタは安定して挿入口３４に保持される。また天板３１の後部には、貫通するように形成される開放溝３１３と、開放溝３１３の両側縁に横たわって天板３１に突設される支持部３１４とが設けられ、前記支持部３１４により前記上部ベース５１の上方への移動が制限される。シェル３０の両側に、天板３１と反する向きに延出する半田レッグ３１５が形成される。
【００１２】
図２並びに図５を参照すると、導電端子４０は、整列して配置される上部の第１端子４１と下部の第２端子４２とを含み、第１端子４１は、絶縁本体２０の基部２１に保持される第１保持部４１１と、第１保持部４１１の一端から延出して端子台２２の上部に配置される第１接触部４１２と、第１保持部４１１の他端から延出する第１延出部４１３と、第１延出部４１３に対して直角に延出する第１半田部４１４とを含む。第２端子４２は、絶縁本体２０の基部２１に保持される第２保持部４２１と、第２保持部４２１の一端から延出して端子台２２の下部に配置される第２接触部４２２と、第２保持部４２１の他端から延出する第２延出部４２３と、第１延出部４２３に対して直角に延出する第２半田部４２４とを含む。前記第１延出部４１３並びに第２延出部４２３は、絶縁本体２０の一対のアーム部２３の間に配置され、第１半田部４１４並びに第２半田部４２４は、前記一対のアーム２３によって形成される収容空間に位置している。
【００１３】
前記上部ベース５１は、シェル３０の開放溝３１３に収容され、上部ベース５１の第１端子４１に対向する一面には、複数の突起５１１と、シェル３０に係合するための両端での係合部５１２とが形成される。前記係合部５１２は、開口溝３１３の両端に係合することにより、上部ベース５１をシェル３０２に保持する。その係合部５１２の一方は平板状を呈し、且つ係合部５１２の他方は弧状のガイド部によりシェル３０の係合をガイドできる。前記突起５１１同士の間には、第１端子４１を収容する収容溝５１３が形成される。
【００１４】
前記下部ベース５２は、前記絶縁本体２０の一対のアーム部２３の間に形成された収容空間に配置され、本体部５２１と、本体部５２１の両側から延出する一対のロック部５２２とを含む。また本体部５２１には、前記第２端子４２の第２半田部４２４を収容するために、複数の漏斗状の収容孔５２３が形成される。本体部５２１の一端に複数の隔離壁５２５が設けられ、隔離壁５２５同士の間に隔離溝５２４が形成される。
【００１５】
図１を参照すると、組み立てる際、まず複数の導電端子４０が絶縁本体２０の後端から絶縁本体２０に装着される。次に下部ベース５２が下部から絶縁本体２０に取り付けられ、ロック部５２２がアーム部２３に係合することにより、この下部ベース５２は絶縁本体２０に保持される。さらに上部ベース５１をシェル３０の開放溝３１３に組み合わせ、この上部ベース５１とシェル３０との組合体を前方から絶縁本体２０に取り付ける。組み合わせた際、第１端子４１の第１延出部４１３は、上部ベース５１の隣接した突起５１１の間に形成された収容溝５１３に狭入され、第１半田部４１４は下部ベース５２の隔離溝５２４に配置される。第２端子４２の第２半田部４２４は下部ベース５２の収容孔５２３に収容され、この収容孔５２３が漏斗状を呈するため、第２半田部４２４の挿入が容易になる。また、第２端子４２の第２延出部４２３の上部が上部ベース５１の突起５１１に当接するように押圧され、第２端子４２の上向きの移動が制限される。
【００１６】
電気コネクタ１００において、積重される上部ベース５１と下部ベース５２とによって第１端子４１と第２端子４２とが保持され、第１端子４１は上部ベース５１の収容溝５１３と下部ベース５２の隔離溝５２４とにより位置決めされ、第２端子４２は下部ベース５２の収容孔５２３のみにより位置決めされる。上部ベース５１がシェル３０の開放溝３１３に収容されることが、電気コネクタ１００の小型化を有利にする。また、支持部３１４により、上部ベース５２の脱落を防止できる。また、電気コネクタ１００が回路基板に安定して実装される。
【００１７】
以上本考案について最良の実施の形態を参照して詳細に説明したが、実施形態はあくまでも例示的なものであり、これらに限定されない。また上述において説明された本考案に基づきなしうる細部の修正或いは変更などは、いずれも本考案の請求範囲に属するものとする。
【符号の説明】
【００１８】
１００  電気コネクタ
２０  絶縁本体
２１  基部
２２  端子台
３０  シェル
３１３  開放溝
３１４  支持部
４０  導電端子
４１  第１端子
４２  第２端子
５１  上部ベース
５１１  突起
５２  下部ベース
【図１】
0003169366.tif 000003
【図２】
0003169366.tif 000004
【図３】
0003169366.tif 000005
【図４】
0003169366.tif 000006
【図５】
0003169366.tif 000007
【図６】
0003169366.tif 000008